(57)【要約】【課題】断線を生じることなく高集積化をすることが可能な部品実装フレキシブルプリント基板及びその製造方法の提供を目的とする。【解決手段】部品実装フレキシブルプリント基板は、可撓性を有する基板と、基板上形成され、一部に実装パッドが形成された配線と、配線の実装パッドを含む一部を露出させる部品実装開口を有し、配線の露出した部分以外の部分を覆う表面カバーレイと、実装パッドに実装された実装部品とを備える。また、本発明に係る部品実装フレキシブルプリント基板は、部品実装開口の周縁部の曲げ剛性よりも小さな曲げ剛性を有する部分が、部品実装開口の周縁部で部品実装開口から所定の位置だけ離れた距離に存在する。【選択図】図１
2014165441.tif 000002
【特許請求の範囲】
【請求項１】
可撓性を有する基板と、
前記基板上に形成され、一部に実装パッドが形成された配線と、
前記配線の前記実装パッドを含む一部を露出させる部品実装開口を有し、前記配線の露出した部分以外の部分を覆う表面カバーレイと、
前記実装パッドに実装された実装部品と
を備え、
前記部品実装開口の周縁部の曲げ剛性よりも小さな曲げ剛性を有する部分が、前記部品実装開口の周辺部で前記部品実装開口から所定の距離だけ離れた位置に存在する
ことを特徴とする部品実装フレキシブルプリント基板。
【請求項２】
前記実装部品は、半田によって前記実装パッドに接続され、
前記半田は、前記部品実装開口の境界で前記表面カバーレイに接している
ことを特徴とする請求項１記載の部品実装フレキシブルプリント基板。
【請求項３】
前記基板上に、前記部品実装開口の前記実装パッドから前記配線が延びる方向と直交する方向の両側の前記表面カバーレイに覆われた部分に、前記配線が延びる方向の前記部品実装開口の幅よりも長い範囲で前記部品実装開口に沿って前記配線が延びる方向に一対の第１の表面補強配線が形成されていることを特徴とする請求項１又は２記載の部品実装フレキシブルプリント基板。
【請求項４】
前記基板上の、前記第１の表面補強配線から前記配線が延びる方向に所定の距離だけ離れた位置に、前記配線に沿って前記配線が延びる方向に第２の表面補強配線が形成されていることを特徴とする請求項３記載の部品実装フレキシブルプリント基板。
【請求項５】
前記表面カバーレイは、前記部品実装開口から前記配線の延びる方向に所定の距離だけ離れた位置の前記配線を挟んだ両側に一対の第１の曲げ剛性低減用開口が形成されていることを特徴とする請求項１又は２記載の部品実装フレキシブルプリント基板。
【請求項６】
前記基板の裏面のうち、前記部品実装開口に相当する部分を含む領域に形成された第１の裏面補強配線を更に備えたことを特徴とする請求項１又は２記載の部品実装フレキシブルプリント基板。
【請求項７】
前記基板裏面の、前記第１の裏面補強配線から所定の距離だけ離れた位置から形成された第２の裏面配線補強配線を更に備えたことを特徴とする請求項６記載の部品実装フレキシブルプリント基板。
【請求項８】
前記基板の裏面に更に裏面カバーレイを有し、
前記裏面カバーレイは、
前記裏面カバーレイのうち、前記部品実装開口に相当する部分から所定の距離だけ離れた位置から形成された第２の曲げ剛性低減用開口を有する
ことを特徴とする請求項１又は２記載の部品実装フレキシブルプリント基板。
【請求項９】
前記部品実装開口から所定の距離だけ離れた前記配線の近傍に前記基板及び前記表面カバーレイを貫通する開口又は切り欠きを有する
ことを特徴とする請求項１又は２記載の部品実装フレキシブルプリント基板。
【請求項１０】
可撓性を有する基板上に、一部に実装パッドが形成された配線を形成し、
前記配線の前記実装パッドを含む一部を部品実装開口により露出させ、その他の部分を覆うように表面カバーレイ及び裏面カバーレイのうち少なくとも前記表面カバーレイを形成し、
前記配線の実装パッドに実装部品をはんだ付けする
部品実装フレキシブルプリント基板の製造方法において、
前記基板に前記配線と共に表面補強配線を形成するか、又は前記表面カバーレイ又は前記裏面カバーレイに前記部品実装開口部から所定距離だけ離れた位置に曲げ剛性低減用開口を形成することにより、前記部品実装開口の周縁部の曲げ剛性よりも小さな曲げ剛性を有する部分を、前記配線の前記表面カバーレイに覆われた部分に形成する
ことを特徴とする部品実装フレキシブルプリント基板の製造方法。
【発明の詳細な説明】
【技術分野】
【０００１】
本発明は、部品実装フレキシブルプリント基板及びその製造方法に関する。
【背景技術】
【０００２】
可撓性を有する基板上に実装部品を半田付けしてなる部品実装フレキシブルプリント基板が知られている。この様な部品実装フレキシブルプリント基板においては、配線等の保護の為に、部品実装部分以外の部分をカバーレイによって覆っている。ここで、部品実装部分であるカバーレイの開口部では、実装部品と電極パッドとが半田により接続されるため、カバーレイと半田の間に存在する配線部分は、フレキシブルプリント基板を曲げた時に発生する応力が集中し易い。このため、カバーレイと半田の間に存在する配線部が短いと、応力集中によって配線が比較的断線しやすい、と言う問題があった。特に、近年、回路の高集積化、小型化に伴い、実装部品の実装スペースも小さくなり、カバーレイの部品実装開口部に露出する電極の大部分を半田が覆うことになり、カバーレイの開口縁部と半田との間の配線に応力が集中し、断線に至るケースが増大している。
【０００３】
この様な問題は、フレキシブルプリント基板の裏面に補強材を配置したり、例えば、下記特許文献１のように、フレキシブルプリント基板の裏面に実装部品を配置することによって部品実装部分の変形を抑え、上記断線の問題を回避している。しかし、この場合、製造工程の増加及びこれに伴う製造コストの増大、更に部品配置の自由度の低下を招いていた。
【先行技術文献】
【特許文献】
【０００４】
【特許文献１】特開２００３−７８２２８号公報
【発明の概要】
【発明が解決しようとする課題】
【０００５】
本発明はこの様な課題に鑑みてなされたものであり、コスト増大や部品配置自由度の低減を招くことなく、断線を防止して高集積化を図ることが可能な部品実装フレキシブルプリント基板及びその製造方法の提供を目的とする。
【課題を解決するための手段】
【０００６】
本発明に係る部品実装フレキシブルプリント基板は、可撓性を有する基板と、基板上形成され、一部に実装パッドが形成された配線と、配線の実装パッドを含む一部を露出させる部品実装開口を有し、配線の露出した部分以外の部分を覆う表面カバーレイと、実装パッドに実装された実装部品とを備える。また、本発明に係る部品実装フレキシブルプリント基板は、部品実装開口の周縁部の曲げ剛性よりも小さな曲げ剛性を有する部分が、部品実装開口の周縁部で部品実装開口から所定の位置だけ離れた距離に存在する。
【０００７】
このような構成によれば、部品実装開口の周縁部の曲げ剛性よりも小さな曲げ剛性を有する部分が、部品実装開口の周辺部で部品実装開口から所定の距離だけ離れた位置に存在するので、これによって、当該小さな曲げ剛性を有する部分に応力を分散させ、実装部品の実装部分と表面カバーレイとの界面における応力集中を防止することができる。
【０００８】
また、本発明の一実施形態に係る部品実装フレキシブルプリント基板において、上記実装部品は半田によって実装パッドに接続され、この半田は部品実装開口の境界で表面カバーレイに接している。即ち、本発明によれば、フレキシブルプリント基板の更なる高集積化を、断線の問題を回避しつつ実現可能となる。
【０００９】
また、本発明の一実施形態に係る部品実装フレキシブルプリント基板は、基板上に、部品実装開口の実装パッドから配線が延びる方向と直交する方向の両側の表面カバーレイに覆われた部分に、配線が延びる方向の部品実装開口の幅よりも長い範囲で部品実装開口に沿って配線が延びる方向に一対の第１の表面補強配線が形成されている。このような場合には、上記部品実装開口の周縁部をこの表面補強配線で補強することにより、他の部分の断面曲げ剛性を相対的に小さくする事が可能である。更に、当該第１の表面補強配線は上記配線と同時に形成することが可能であり、製造コストを上昇させること無く実現可能である。またこの場合には、基板上の、第１の表面補強配線から配線が延びる方向に所定の距離だけ離れた位置に、配線に沿って配線が延びる方向に第２の表面補強配線が形成されていてもよい。この様な構成によれば、上記第１の表面補強配線と第２の表面補強配線との間の配線部分の断面の曲げ剛性を小さくする事が可能である。尚、当該第２の表面補強配線も上記配線と、上記第１の表面補強配線と共に形成することが可能であり、製造コストの上昇を招くことなく実現可能である。
【００１０】
また、本発明の他の実施形態に係る部品実装フレキシブルプリント基板においては、表面カバーレイに、部品実装開口から配線の延びる方向に所定の距離だけ離れた位置の配線を挟んだ両側に一対の第１の曲げ剛性低減用開口とが設けられていてもよい。即ち、表面カバーレイに第１の曲げ剛性低減用開口を設けることにより、この開口が設けられた部分の断面の曲げ剛性を小さくしている。このような構成は上記第１の曲げ剛性低減用開口を有するカバーレイを製造するための金型を製造する必要が生じるが、製造工程数は変わらない為、製造コストの上昇は極めて少ない。
【００１１】
また、本発明の他の実施形態に係る部品実装フレキシブルプリント基板は、基板の裏面のうち、部品実装開口に相当する部分を含む領域に形成された第１の裏面補強配線を更に備えていてもよい。このような構成においては、半田部分と表面カバーレイとの界面部分の配線の曲げ剛性を裏面補強配線によって大きくしている。また、第１の裏面補強配線も、他の構成と同時に製造可能であり、製造コストが増大することは無い。またこの場合においては、基板裏面の、第１の裏面補強配線から所定の距離だけ離れた位置から第２の裏面補強配線が形成されていても良い。
【００１２】
また、本発明の他の実施形態に係る部品実装フレキシブルプリント基板は、基板の裏面に更に裏面カバーレイを有し、裏面カバーレイは、裏面カバーレイのうち、部品実装開口に相当する部分から所定の距離だけ離れた位置から形成された第２の曲げ剛性低減用開口を有していても良い。
【００１３】
また、本発明の他の実施形態に係る部品実装フレキシブルプリント基板は、部品実装開口から所定の距離だけ離れた上記配線の近傍に基板及び表面カバーレイを貫通する開口又は切り欠きを有していてもよい。即ち、表面カバーレイだけでなく、基板にも開口や切り欠きを設けることによって、更に効果的に当該部分の曲げ剛性を低減させ、応力の分散を図ることが可能である。
【００１４】
本発明に係る部品実装フレキシブル基板の製造方法においては、まず可撓性を有する基板上に、一部に実装パッドが形成された配線を形成し、配線の実装パッドを含む一部を部品実装開口により露出させ、その他の部分を覆う様に表面カバーレイ及び裏面カバーレイのうち少なくとも表面カバーレイを形成し、配線の実装パッドに実装部品をはんだ付けする。また、本発明に係る部品実装フレキシブルプリント基板の製造方法においては、基板に配線と共に表面補強配線を形成するか、又は表面カバーレイ又は裏面カバーレイに部品実装開口部から所定距離だけ離れた位置に曲げ剛性低減用開口を形成することにより、部品実装開口の周縁部の曲げ剛性よりも小さな曲げ剛性を有する部分を、配線の表面カバーレイに覆われた部分に形成する。
【発明の効果】
【００１５】
本発明によれば、コスト増大や部品配置自由度の低減を招くことなく、断線を防止して高集積化を図ることが可能な部品実装フレキシブルプリント基板及びその製造方法の提供が可能となる。
【図面の簡単な説明】
【００１６】
【図１】本発明の第１の実施形態に係る部品実装フレキシブルプリント基板の構成を示す平面図である。
【図２】同実施形態の、他の態様に係る部品実装フレキシブルプリント基板の構成を示す平面図である。
【図３】同実施形態の、他の態様に係る部品実装フレキシブルプリント基板の構成を示す平面図である。
【図４】本発明の第２の実施形態に係る部品実装フレキシブルプリント基板の構成を示す平面図である。
【図５】本発明の第３の実施形態に係る部品実装フレキシブルプリント基板の構成を示す平面図である。
【図６】本発明の第４の実施形態に係る部品実装フレキシブルプリント基板の構成を示す平面図である。
【図７】同部品実装フレキシブルプリント基板の一部の断面図である。
【図８】本発明の第５の実施形態に係る部品実装フレキシブルプリント基板の構成を示す平面図である。
【図９】同部品実装フレキシブルプリント基板の一部の断面図である。
【図１０】本発明の第６の実施形態に係る部品実装フレキシブルプリント基板の構成を示す平面図である。
【図１１】同部品実装フレキシブルプリント基板の一部の断面図である。
【図１２】本発明の第７の実施形態に係る部品実装フレキシブルプリント基板の構成を示す平面図である。
【図１３】従来の部品実装フレキシブルプリント基板の構成例を示す平面図である。
【図１４】同部品実装フレキシブルプリント基板の構成を示す断面図である。
【図１５】同部品実装フレキシブルプリント基板を折り曲げた時の様子を示す断面図である。
【図１６】同部品実装フレキシブルプリント基板において、断線が生じた時の様子を示す断面図である。
【図１７】同部品実装フレキシブルプリント基板の一部の断面図である。
【発明を実施するための形態】
【００１７】
以下、本発明の実施形態について説明するが、それに先立ち、まず部品実装フレキシブルプリント基板の高集積化に伴う断線の問題点について検討する。
【００１８】
［高集積化に伴う断線についての検討］
発明者らは、部品実装フレキシブルプリント基板の高集積化に伴い、上記断線が生じる理由について調査した。以下、その結論について説明する。図１３は、従来の部品実装フレキシブルプリント基板の構成例を示す平面図であり、図１４は、同部品実装フレキシブルプリント基板の構成を示す断面図である。部品実装フレキシブルプリント基板は、可撓性を有する基板１０１上に、部品を実装する為の一対の実装パッド１０２がそれぞれ形成された配線１０３を形成し、その上を覆うように表面カバーレイ１０４を基板１０１に接着材で接着する。表面カバーレイ１０４には、実装パッド１０２のみを露出させるための開口１０４ａが形成されている。開口１０４ａによって露出された実装パッド１０２には、半田１０６によって実装部品１０５が実装されている。回路の集積化が進み、開口１０４ａが小さくなると、半田１０６は、配線１０３に沿って開口１０４ａの境界まで覆うこととなる。
【００１９】
ここで、当該部品実装フレキシブルプリント基板の実装時や取り外し時等には、図１５に示すように、部品実装フレキシブルプリント基板が曲がることがある。この際、半田１０６は可撓性を有しない為、配線１０３の半田１０６が固着している部分の曲げ剛性が大きくなる。従って、半田１０６と表面カバーレイ１０４の界面の配線１０３には、応力が集中する。ここで、半田１０６は表面カバーレイ１０４との界面において、図１６の（ａ）から（ｂ）に示すように、表面カバーレイ１０４から剥がれ易い。半田１０６が表面カバーレイ１０４から剥がれた場合、配線１０３のうち、表面カバーレイ１０４に覆われた部分は接着材１０４ｂを介して表面カバーレイ１０４に強固に接続され、半田１０６に覆われた部分は半田１０６に強固に固着している為、配線１０３の、半田１０６と表面カバーレイ１０４との界面に該当する部分には更に応力が集中し、図１６（ｃ）に示す通り、ここを起点として配線１０３にクラックが入り、断線を生じやすいことが分かった。
【００２０】
そこで本実施形態では、半田１０６と表面カバーレイ１０４との界面を通る断面の曲げ剛性よりも小さな曲げ剛性を有する部分を、配線１０３のうちカバーレイ１０４に覆われた部分であって、部品実装開口１０４ａの周辺部で部品実装開口１０４ａから所定の距離だけ離れた位置に設け、当該部品実装フレキシブルプリント基板が曲がった際に生じる応力をそこに分散させるようにしている。
【００２１】
ここで、一種類の材料で構成される構造体の曲げ剛性Ｍは、材料の弾性率をＥ、断面二次モーメントＩをＩ＝∫（ｙ−ｙ０）２ｄＡとすると、下記数１で表すことが可能である。
【数１】
2014165441.tif 000003
一方、図１７に示すように、複合材の場合には、弾性率Ｅが中立軸ｙ０からの距離ｙによって異なる。いま、中立軸ｙ０からカバーレイ１０４の上面までの距離をｙ１、中立軸ｙ０からカバーレイ１０４の下面までの距離をｙ２、中立軸ｙ０から配線１０３上面までの距離をｙ３、中立軸ｙ０から基板１０１上面までの距離をｙ４、中立軸ｙ０から基板１０１下面までの距離をｙ５とし、基板１０１及びカバーレイ１０４の幅をＷ、配線１０３の幅をＬとし、更にカバーレイ１０４の弾性率をＥ１、カバーレイ１０４と基板１０１を接着する接着剤１０４ｂの弾性率をＥ２、配線１０３の弾性率をＥ３、基板１０１の弾性率をＥ４とすると、図１７に示すカバーレイ１０４によって覆われた部分の曲げ剛性Ｍ１は、下記数２で表される。
【数２】
2014165441.tif 000004
【００２２】
一方、半田１０６とカバーレイ１０４の界面における曲げ剛性Ｍ２は、部品実装開口の幅をｗ、半田１０６と表面カバーレイ１０４との界面自体の構成を無視すると、下記数３で表される。
【数３】
2014165441.tif 000005
【００２３】
従って、下記種々の実施形態に係る部品実装フレキシブルプリント基板は、曲げ剛性Ｍ１又はＭ２を調整し、曲げ剛性Ｍ１が曲げ剛性Ｍ２よりも小さくなる部分が存在する様に構成される。
【００２４】
［第１の実施形態］
次に、本発明の第１の実施形態に係る部品実装フレキシブルプリント基板について説明する。図１は、本実施形態に係る部品実装フレキシブルプリント基板の構成を説明する為の平面図である。本実施形態に係る部品実装フレキシブルプリント基板は、可撓性を有する基板１と、基板１上に対向して一対の実装パッド２が形成され、実装パッド２からそれぞれ反対方向に引き出された配線３と、この配線３を覆うように基板１に接着材によって接着された表面カバーレイ４とを有する。表面カバーレイ４には、実装パッド２を含む配線３の一部を露出させる部品実装開口４ａが形成されている。この部品実装開口４ａから露出する実装パッド２に実装部品５が半田６によって実装されている。部品実装開口４ａが小さいため、半田６は表面カバーレイ４に接している。
【００２５】
更に、本実施形態に係る部品実装フレキシブルプリント基板は、基板１上に、部品実装開口４ａに相当する部分を挟んで形成された一対の第１の表面補強配線７を更に備えている。第１の表面補強配線７は、部品実装開口４ａの配線３と交差する方向の両側に配置され、配線３の延びる方向に延び、部品実装開口４ａの配線３の延びる方向の幅よりも長く形成され、部品実装開口４ａを全体的に覆うように形成されている。即ち、本実施形態に係る部品実装フレキシブルプリント基板においては、この第１の表面補強配線７によって半田６とカバーレイ４との界面部分を補強し、この部分における曲げ剛性を大きくしている。従って、本実施形態においては、この一対の第１の表面補強配線７によって囲われた領域よりも、その外の領域に応力を分散させることが可能である。また、本実施形態においてはこの第１の表面補強配線７を配線３と同様の材料、同一プロセスで形成している。従って、製造プロセスの増加を招くことなく実現可能である。
【００２６】
次に、この第１の表面補強配線７の幅を規定する。本実施形態においては、一対の第１の表面補強配線７の横幅の合計をＬ７とすると、部品実装フレキシブルプリント基板の中立点から第１の表面補強配線７の上面、下面までの距離及び弾力係数は、全て配線３と同じである。従って、本実施形態において、半田６と表面カバーレイ４の界面における曲げ剛性Ｍ２−１は、上記数３の第２項のＬをＬ＋Ｌ７とすれば良く、下記数４によって規定される。
【数４】
2014165441.tif 000006
【００２７】
本実施形態においては、このＭ２−１が数２のＭ１より大きくなれば良いため、第１の表面補強配線７の横幅の合計Ｌ７は、下記数５で表される。
【数５】
2014165441.tif 000007
【００２８】
また、本実施形態においては、第１の表面補強配線７は配線３と同じ材質から構成されており、更にいかなる配線にも接続されていない。従って、第１の表面補強配線７は電気的にはフローティング状態であるから、寄生容量を生じる可能性もある。しかしながら、液晶やＬＥＤ等に使用する場合には、特に問題を生じない。また、例えば配線３の一端が接地されていたような場合には、図２に示す通り、この接地端子側の配線３と第１の表面補強配線７とを接続することにより、かかる寄生容量の問題を解決し、半田６と表面カバーレイ４とのねじれを防止することによって機械的強度も更に強化し、更に第１の表面補強配線７をシールドとして使用することも可能である。
【００２９】
また、本実施形態においては、一つの開口４ａ及び一対の第１の表面補強配線７について、一対の電極２が配置される。しかしながら、一つの開口４ａ及び一対の第１の表面補強配線７について、複数対の電極２を配置することも可能である。図３には、２対の電極２を配置した例を示している。尚、一つの開口４ａ及び一対の第１の表面補強配線７について、ｎ対の電極２を配置する場合、第１の表面補強配線７の幅の合計Ｌ７はｎ倍する必要がある。
【００３０】
次に、本実施形態に係る部品実装フレキシブルプリント基板の製造方法について説明する。本実施形態においては、まず可撓性を有する基板１上に、電極２、配線３及び第１の表面補強配線７を形成する。電極２と、配線３の一部が露出するように、配線３の一部以外の部分と、第１の表面補強配線７とを表面カバーレイ４によって覆う。次に、実装部品５を半田付けする。この際、半田６は、電極２、配線３の露出した部分及び実装部品５の端子を覆う。即ち、本実施形態においては電極２、配線３及び第１の表面補強配線７を一括して製造することが可能であり、製造工程数の増大を招くことなく実現することが可能である。
【００３１】
［第２の実施形態］
次に、本発明の第２の実施形態に係る部品実装フレキシブルプリント基板について説明する。本実施形態に係る部品実装フレキシブルプリント基板は基本的には第１の実施形態と同様であるが、本実施形態においては、図４に示す通り、配線３の両端に、配線３に沿って第２の表面補強配線８を設けている。従って、本実施形態においては、第１の表面補強配線７と第２の表面補強配線８との間の領域に応力を集中させることが可能である。この様な構成にする場合には、例えばこの部分においてのみ配線３の幅を太くしたり、膜厚を厚くする等、集中的に断線対策を施すことも可能である。
【００３２】
［第３の実施形態］
次に、本発明の第３の実施形態に係る部品実装フレキシブルプリント基板について説明する。第１及び第２の実施形態においては、半田６と表面カバーレイ４との界面を含む断面における曲げ剛性を補強し、これによって当該断面における曲げ剛性Ｍ２−１を、その他の配線部分の曲げ剛性Ｍ１よりも大きくしていた。本実施形態においては、その他の配線部分の曲げ剛性を、半田６と表面カバーレイ４−３とを含む断面の曲げ剛性Ｍ２よりも小さくすることによって、半田６と表面カバーレイ４−３との界面に生じる応力を低減する。
【００３３】
図５は、本実施形態に係る部品実装フレキシブルプリント基板の構成を示す平面図である。本実施形態に係る部品実装フレキシブルプリント基板の構成は、基本的には第１の実施形態に係る部品実装フレキシブルプリント基板と同様であるが、本実施形態においては第１の表面補強配線７が設けられていない。また、本実施形態に係るフレキシブルプリント基板においては、表面カバーレイ４−３の構成が異なっている。即ち、本実施形態においては、表面カバーレイ４−３は、部品実装開口４−３ａの他に、配線３を挟んで第１の曲げ剛性低減用開口４−３ｃが設けられている。即ち、本実施形態においては、この第１の曲げ剛性低減用開口４−３ｃを含む断面における曲げ剛性Ｍ１−３を上記曲げ剛性Ｍ２よりも小さくすることによって、半田６と表面カバーレイ４−３との界面に生じる応力を低減するのである。本実施形態に係る構成を実現する為には、第１の曲げ剛性低減用開口４−３ｃを有する表面カバーレイを製造する為の金型を準備する必要があるが、製造工程数は変わらない為、製造コストの上昇は極めて少ない。
【００３４】
次に、この第１の曲げ剛性低減用開口４−３ｃの幅を規定する。第１の曲げ剛性低減用開口４−３ｃの幅の合計をＷ４−３とすると、第１の曲げ剛性低減用開口４−３ｃを含む断面の曲げ応力Ｍ１−３は、上記数２の第１項におけるＷのうち、表面カバーレイ４−３及び接着剤に該当する部分をＷ−Ｗ４−３として、下記数６のように表すことが可能である。
【数６】
2014165441.tif 000008
【００３５】
本実施形態においては、このＭ１−３が数３のＭ２よりも小さくなれば良いため、開口４−３ｂの幅の合計Ｗ４−３は、下記数７のように決定してもよい。
【数７】
2014165441.tif 000009
【００３６】
［第４の実施形態］
次に、第４の実施形態に係る部品実装フレキシブルプリント基板について説明する。本実施形態に係る部品実装フレキシブルプリント基板は、基本的には第１の実施形態に係る部品実装フレキシブルプリント基板と同様に構成されるが、図６及び図７に示す通り、本実施形態においては第１の表面補強配線７が設けられておらず、フレキシブルプリント基板裏面に、第１の裏面補強配線９が設けられており、この第１の裏面補強配線９によって半田６と表面カバーレイ４との界面部分の配線の曲げ剛性を大きくしている。本実施形態において、第１の裏面補強配線９は、部品実装開口４ａ内の半田６と表面カバーレイ４とを全て含む領域にわたって形成される。この構成においては、例えば部品実装フレキシブルプリント基板の裏面に他の構成を製造する場合には、当該他の構成と同時に製造可能であり、製造コストが増大することは無い。また、第１の裏面補強配線９は電気的にはフローティング状態となるが、液晶やＬＥＤ等に使用する場合には、特に問題を生じない。
【００３７】
第１の裏面補強配線９の幅をＬ８、弾性率をＥ５、中立軸から第１の裏面補強配線９下面までの距離をｙ６とすると、半田６と表面カバーレイ４との界面を含む断面の曲げ剛性Ｍ２−４は、下記数８において表すことが可能である。
【数８】
2014165441.tif 000010
【００３８】
当該実施形態においては、このＭ２−４が、数２のＭ１よりも大きくなれば良い。従って、裏面補強部材９の幅Ｌ８は、下記数９によって決定しても良い。
【数９】
2014165441.tif 000011
【００３９】
［第５の実施形態］
図８は、本発明の第５の実施形態に係る部品実装フレキシブルプリント基板の構成を示す平面図、図９は、同部品実装フレキシブルプリント基板の断面図である。本実施形態に係る部品実装フレキシブルプリント基板は、基本的には第４の実施形態に係る部品実装フレキシブルプリント基板と同様に構成されているが、本実施形態においては基板１裏面の、第１の裏面補強配線９から所定の間隔だけ離れた部分であって、配線３の裏面に相当する部分に第２の裏面補強配線１０が設けられている。即ち、本実施形態においては、この第１の裏面補強配線９に相当する部分と、第２の裏面補強配線１０に相当する部分の間に応力が集中する。尚、第２及び第３の実施形態と同様、この応力が集中する部分においてのみ配線３の幅を太くしたり、膜厚を厚くする等、集中的に断線対策を施すことも可能である。
【００４０】
［第６の実施形態］
図１０は、本発明の第６の実施形態に係る部品実装フレキシブルプリント基板の構成を示す平面図、図１１は、同部品実装フレキシブルプリント基板の断面図である。本実施形態に係る部品実装フレキシブルプリント基板は、基本的には第１の実施形態に係る部品実装フレキシブルプリント基板と同様に構成されているが、本実施形態においては実施形態においては第１の表面補強配線７が設けられていない。また、本実施形態においては基板１の裏面に裏面カバーレイ１１が設けられている。裏面カバーレイ１１は、表面カバーレイ４の部品実装開口４ａを含む領域については、全面を覆っている。しかしながら、この部品実装開口４ａを含む領域から所定の距離だけ離れた場所には第２の曲げ剛性低減用開口１１ａが設けられており、一部しか覆われていない。この構成においては、例えば部品実装フレキシブルプリント基板の裏面に当初から裏面カバーレイ１１を形成する予定であった場合には、専用の金型を用意するだけでこの様な構成を実現可能である。
【００４１】
裏面カバーレイ１１の裏面開口１１ａの横幅は、以下のように規定することが可能である。即ち、裏面カバーレイ１１の弾性率をＥ６、中立軸から裏面カバーレイ１１までの距離をｙ７とし、裏面開口１１ａの横幅をＬ１１とすると、第２の曲げ剛性低減用開口１１ａを含む断面の曲げ剛性Ｍ１−６は下記数１０によって、半田６と表面カバーレイ４との界面を含む断面の曲げ剛性Ｍ２−６は下記数１１によって表される。
【数１０】
2014165441.tif 000012
【数１１】
2014165441.tif 000013
【００４２】
従って、上記数１０及び数１１において、Ｍ２−６がＭ１−６より大きくなる様な裏面開口１１ａの横幅Ｌ１０は、下記数１２によって規定することが可能である。
【数１２】
2014165441.tif 000014
【００４３】
［第７の実施形態］
図１２は、本発明の第７の実施形態に係る部品実装フレキシブルプリント基板の構成を示す平面図である。本実施形態に係る部品実装フレキシブルプリント基板は、第３の実施形態とほぼ同様に構成されているが、第３の実施形態においては表面カバーレイ４−３のみに第１の曲げ剛性低減用開口４−３ａが形成されていたのに対し、本実施形態においては基板１−７及び表面カバーレイ４−７の両方に開口又は切り欠き１−７ａ及び４−７ａが設けられている。従って、より好適に曲げ剛性を調整することが可能である。本実施形態においては、開口又は切り欠き１−７ａ及び開口４−７ａの幅の合計をＬ１とすると、開口１−７ａ，４−７ａを含む断面の曲げ剛性Ｍ１−７は、下記数１３のように表すことが可能である。
【数１３】
2014165441.tif 000015
【００４４】
本実施形態においては、このＭ１−７が上記数３のＭ２よりも小さくなれば良い。従って、開口又は切り欠き１−７ａ及び開口又は切り欠き４−７ａの幅の合計は下記数１４のように表すことが可能である。
【数１４】
2014165441.tif 000016
【符号の説明】
【００４５】
１，１−７，１０１…基板、１−７ａ…開口、２，１０２…実装パッド、３，１０３…配線、４，４−３，４−７，１０４…表面カバーレイ、４ａ，４−３ａ，４−７ａ，１０４ａ…部品実装開口、４ｂ，１０４ｂ…接着剤、４−３ｃ…第１の曲げ剛性低減用開口、５，１０５…実装部品、６，１０６…半田、７…第１の表面補強配線、８…第２の表面補強配線、９…第１の裏面補強配線、１０…第２の裏面補強配線、１１…裏面カバーレイ、１１ａ…第２の曲げ剛性低減用開口。
【図１】
2014165441.tif 000017
【図２】
2014165441.tif 000018
【図３】
2014165441.tif 000019
【図４】
2014165441.tif 000020
【図５】
2014165441.tif 000021
【図６】
2014165441.tif 000022
【図７】
2014165441.tif 000023
【図８】
2014165441.tif 000024
【図９】
2014165441.tif 000025
【図１０】
2014165441.tif 000026
【図１１】
2014165441.tif 000027
【図１２】
2014165441.tif 000028
【図１３】
2014165441.tif 000029
【図１４】
2014165441.tif 000030
【図１５】
2014165441.tif 000031
【図１６】
2014165441.tif 000032
【図１７】
2014165441.tif 000033